(57)【要約】【課題】  今までの琴の立台による演奏では音が前方へ共鳴たりず、より遠方へ音を共鳴さることを目的とした立ち琴演奏用の共鳴板を提供する。【解決手段】  共鳴板は立って演奏する琴を設置するのに、１対の琴載置台４．４ａを必要とし、この琴載置台４．４ａを連結する連結板３により琴受け台を構成する。このように構成された琴受け台の連結部に、本発明の共鳴板の裏面部に連結板を挿嵌するための係止部２を設け共鳴板１を嵌挿し音を響かせるように構成した立ち琴演奏用共鳴板を提供する。【選択図】  図１
2006350003.tif 000002
【特許請求の範囲】
【請求項１】
琴の立ち演奏時に対し琴の下方に共鳴板を使用し音を前方に共鳴させることを特徴とする立ち琴演奏用共鳴板。
【請求項２】
請求項１の共鳴板は２分割し２枚を一組とすることにより、移動に対し搬送しやすく軽量化を考慮し、表面を平面にしたことを特徴とする立ち琴演奏用共鳴板。
【請求項３】
共鳴板の裏面にある係止め部は、一対の琴載置台に連結した連結板に対し簡単に挿入させる。共鳴板の裏面に設けた１枚の共鳴板に２か所ずつ設けた係止め部は、連結板の厚みに対し挿入しやすい間隔を設け、簡単に設置が出来ることを特徴とした請求項１の立ち琴演奏用共鳴板。
【請求項４】
最大に共鳴させるのには、立たせた琴載置台４．４ａに対しＡ・Ｂのように傾斜角度にする。最良の角度として３５度〜４５度の傾斜角度にすることが、音を最大に共鳴させることができる。共鳴板の設置高さは琴設置板の底部より上に５ｃｍ程度、上部は琴載置台の上部縁より下へ５ｃｍ程度の部分の位置に設ける。横幅も共鳴板が琴載置台に整合するようにしたことを特徴とする請求項１の立ち琴演奏用共鳴板。
【請求項５】
請求項４に示した３５度〜４５度の傾斜角度に共鳴板を設置するのには一対の琴設置台の連結板を３５度〜４５度の傾斜角にして設置させて置くことを特徴とする立ち琴演奏用共鳴板。
【請求項６】
立ち琴演奏用共鳴板は、安価にするため木材を使用し、軽量化を計り解体や搬送にも利便性を備えたことを特徴とする請求項１の立ち琴演奏用共鳴板。
【発明の詳細な説明】
【技術分野】
【０００１】
本発明は立ち琴演奏共鳴板の構造に関する。
【背景技術】
【０００２】
琴の音の共鳴に関しては、弦に工夫をこらし弦の振動により、音の共鳴をはかっていたが、音の共鳴についてはさほどの音色を作り出す変化はみられないものであった。図１１に示す連結板１５は琴載置１６．１６ａに連結し、琴１７を安定して載置させる目的の連結板１５であり、単に琴を載置を目的としているので、任意の角度で設置され共鳴効果を考慮したものではなかった。
【発明の開示】
【発明が解決しようとする課題】
【０００３】
このように従来の琴の音を共鳴させる方法は弦の振動による音の伝達するものや、図１１に示すものであり、広い演奏会場においては音の響きが伝わりにくいという欠点があった。このような欠点を、本発明は高音や中音や低音の音域に関係なく広い音域に対し音の共鳴を発揮させることを提供することを課題としている。
【課題を解決するための手段】
【０００４】
上記目的を発揮させるために本発明は、一対の琴載置台４．４ａの高さは演奏者腰程度の高さにし、一対の琴載置台に設けられた斜度のある連結板３の貫通孔３ａを設け、貫通孔３ａに連結板３の端部を嵌通させ琴載置台４．４ａの外部に出た部分に楔孔を設けて連結板の端部に楔を打ち込み固定させ立ち琴演奏台が完成する。この立ち琴演奏台に共鳴板１．１ａと共鳴板１．１ａの裏面に設けられた連結板３を挿入する挿入溝７を設けた係止部２を一体に設けたことを特徴とする立ち琴演奏用共鳴板としたものである。
【発明の効果】
【０００５】
演奏会場が広くなると琴の音を前方へ共鳴させなければならない。そのためには、共鳴板が琴載置台に対し斜めにＣ．Ｄのような傾斜を設けて設置しなければ音を前方に共鳴することができない。
【０００６】
音をより効果的に共鳴させる共鳴板の設置角度は前方部Ｃより後方部Ｄのように傾斜角３５度ないし４５度の角度Ｌの範囲内に設置するのが最も音をより遠方へ共鳴させる共鳴板の設置角度である。共鳴板の前方部（低い部分）Ｃは床面に対し５ｃｍ程隙間をとり、共鳴板の上部（高い部分）Ｄの位置は琴が載置台に載置された琴の底部より５ｃｍ程度の隙間をとり共鳴板３を設けることにより音をより多く広い拾うことにより、最良の音響効果を高め、共鳴度を高めている。
【０００７】
共鳴板１．１ａの裏面に設置されている連結板３を挿入させる係止め部２に設けられた挿入溝７の間隔は連結部材３の厚みを考慮して間隔を作り、挿着や離脱を簡易にさせこととし、材質も木材を使用しており、軽量化され装着解体や搬送にも考慮されている。
【０００８】
このような簡易着脱自在な共鳴板１．１ａは狭い演奏会場では共鳴板を使用しなで演奏でき、演奏会場での演奏者の裁量により自由に装着を可能にできるものである。
【実施例１】
【０００９】
図１は本発明の使用状態を示す正面斜視図であり、図２は本発明の共鳴板１．１ａの側面図であり、共鳴板１．１ａを最良の共鳴板１．１ａの設置角度３５度ないし４５度の角度Ｌを設け、連結部材３を挿入させる挿入溝７を設けた側面図である。
【００１０】
設置された琴載置板４．４ａの連結板３に共鳴板１．１ａの裏面に設けられた係止め部材２の間に連結板３を挿入させる挿入溝７に連結板３を挿入させる。本願は２分割した共鳴板１．１ａをした場合の係止め部２を各２か所に設置することにより連結板に動揺することなく安定される。
【００１１】
図２に示す隙間７は連結板の厚みが挿入できることが必要であり、隙間７に連結板３を挿入した際に隙間７に連結板３との間に遊びがあっては演奏時に琴載置板４．４ａと共鳴板１と１ａ．同士や連結板３のぶつかりあいを防がなければならず、その点を考慮して隙間７を設けなければならない。
【００１２】
図３は２分割された共鳴板１．１ａを一対にした表面を平面の共鳴板１．１ａの正面図であり、共鳴板１．１ａの裏面に係止め部２を設けた正面図である。
【実施例２】
【００１３】
図４は、２分割された８．８ａの２枚を一対にした共鳴板の正面図であるが、この表面を正面に対して立て波形状８ｂに形成したものである。立て波の波長８ｂは任意に形成できる。図５は、図４の平面図である。共鳴板８．８ａの設置傾斜角度は本願発明と同様の傾斜角３５度ないし４５度の角度Ｌ程度の最良の角度で設置する。このような形状でも共鳴の効果は現れる。
【実施例３】
【００１４】
図６は、２分割された共鳴板９．９ａの２枚を一対にした正面図であるが、この表面を図７の側面図に現れているように、正面に対し表面を横波形状１０のように形成した共鳴板である。この波の波長１０は任意に形成することができる。共鳴板９．９ａの設置傾斜度は本発明と同様の軽射角３５度ないし４５度の角度Ｌ程度の最良の角度で設置する。このような形状の表面も使用できる。
【実施例４】
【００１５】
図８は、２分割された共鳴板１１．１１ａの２枚を一対にした正面図である。この表面は図９の側面図に示されらように表面を湾曲１２にした形状で形成した共鳴板１１．１１ａを示したものである。この湾曲した共鳴板１１．１１ａの設置傾斜角度も本発明と同様の傾斜角の３５度ないし４５度の角度Ｌ程度に設置し最高の共鳴度を高める。このような形状でも表面でも使用できる。
【実施例５】
【００１６】
図１０は、共鳴板１３を一枚板とし琴載置板１４．１４ａの連結板を不要とし、連結効果も兼ねることができる共鳴板１３を使用することもできる。共鳴板１３の設置傾斜角度も本発明と同様の傾斜角３５度ないし４５度の角度Ｌ程度に設置しことにより本願発明とし同様の共鳴を高める。
【００１７】
図１１は従来の琴載置板１６．１６ａに連結板１５により構成し、その上部に琴を載置して構成されたものである。
【図面の簡単な説明】
【００１８】
【図１】本発明の立ち琴奏台に共鳴板を設置した斜視図
【図２】図１の共鳴板の側面図
【図３】本発明の２分割した一対の共鳴板の正面図
【図４】本発明の他の実施例の立て波形状の共鳴板の正面図
【図５】図４の実施例の平面図
【図６】本発明の他の実施例の横波形状の共鳴板の正面図
【図７】図６の実施例の平面図
【図８】本発明の他の実施例の湾曲形状の共鳴板の正面図
【図９】図８の実施例の側面図
【図１０】本発明の他の実施例の斜視図
【図１１】従来の立て琴演奏台設置の斜視図
【符号の説明】
【００１９】
１．１ａ    共鳴板                                            
２          共鳴板の裏面部に設けられた連結板の係止め部        
３          連結板                                            
４．４ａ    琴載置板                                          
８．８ａ    共鳴板                                            
８ｂ        立て波形共鳴板                                    
９．９ａ    横波形共鳴板                                      
１０        横波形状                                          
１１．１１ａ湾曲形上共鳴板                                    
１２        湾曲形状                                          
１２        楔                                                
１３        共鳴板                                            
１４．１４ａ琴設置板                                          
【図１】
2006350003.tif 000003
【図２】
2006350003.tif 000004
【図３】
2006350003.tif 000005
【図４】
2006350003.tif 000006
【図５】
2006350003.tif 000007
【図６】
2006350003.tif 000008
【図７】
2006350003.tif 000009
【図８】
2006350003.tif 000010
【図９】
2006350003.tif 000011
【図１０】
2006350003.tif 000012
【図１１】
2006350003.tif 000013